(57)【要約】 【課題】  簡単な構造で取付・取外しが容易なキッチンのパネル壁構造を提供することを目的とする。【解決手段】パネル本体６の上下端部６ａ、６ｂに上係止部７と下係止部８が形成され、断面凹形状のフック部９に係止される。フック部９は前板９ａと後板９ｂを水平の底板９ｃで連結して断面凹形状に形成される。上係止部７はパネル本体６の上端部６ａから壁１に向かって延設する第一水平部７ａと下垂する第一垂直部７ｂで断面Ｌ字状に形成し、この第一垂直部７ｂに沿ってパネル本体６側に折曲げて成る第二垂直部７ｃまで連続的に形成される。下係止部８はパネル本体６の下端部６ｂから壁１に向かって延設する第二水平部８ａと、パネル本体６より下方に延びる第三垂直部８ｂと、この第三垂直部８ｂからパネル本体６と離れる側に折返す斜め部８ｃとが連続して形成される。下係止部８の第三垂直部８ｂと斜め部８ｃの挟角αが弾性的に拡縮自在である。【選択図】  図３
2010106452.tif 000002
【特許請求の範囲】
【請求項１】
建物壁に複数の矩形状のパネルを上下に配置して形成されるキッチンのパネル壁構造であって、
前記パネルは、パネル本体の上端部に上係止部と下端部に下係止部を備え、前記上係止部は前記パネル本体の上端部から延設する第一水平部と下垂する第一垂直部で断面Ｌ字状に形成し、さらに、この第一垂直部に沿って前記パネル本体側に折曲げて成る第二垂直部まで連続的に形成され、前記下係止部は前記パネル本体の下端部から延設する第二水平部と、この第二水平部から下垂する第三垂直部と、この第三垂直部から前記パネル本体と離れる側に折返す斜め部とが連続して形成され、
前記上係止部と下係止部を係止する断面凹形状のフック部が建物壁に配置され、一対の前記パネルの隣接する前記上係止部と下係止部が前記フック部に同時に係止されることを特徴とするキッチンのパネル壁構造。
【請求項２】
請求項１に記載のキッチンのパネル壁構造であって、前記上係止部と下係止部を前記フック部内でガタなく係止するため、前記下係止部の第三垂直部と斜め部の挟角が弾性的に拡縮自在であることを特徴とするキッチンのパネル壁構造。
【請求項３】
請求項１又は請求項２に記載のキッチンのパネル壁構造であって、前記パネル本体に断熱材を備えることを特徴とするキッチンのパネル壁構造。
【発明の詳細な説明】
【技術分野】
【０００１】
本発明は、キッチンの建物壁に用いられるパネルに関し、特に、取付と取外しが簡単なキッチンのパネル壁構造の技術に関する。
【背景技術】
【０００２】
従来、図５に示すように、キッチン１５ａで使用されるガスコンロ１５ｂ等の周辺は油ハネ等によって壁が汚れ易く、また、ガスコンロ１５ｂが壁に近いと躯体内の木部が炭化して躯体が損傷する恐れがあった。このため、ガスコンロ１５ｂを取囲むようにＬ字形の金属板１５ｃが衝立として壁に沿って設置される。ところが、一般的に金属板１５ｃの板厚が薄く変形し易いので汚れの拭き取り作業性が悪いため使い捨てであった。さらに、金属板１５ｃをＬ字形或いはコの字形で安定して自立させるためには金属板１５ｃをあまり高くできないので油が飛び越えてしまうという問題があった。
【０００３】
この問題を解決するため、例えば、特許文献１の記載の方法が知られている。図６に示すように、キッチンキャビネット１１０の躯体壁２２にレール１８、２０を用いてタイル１６が上下広域に配置される。レール１８は板状の固定片２４が躯体壁２２に取付けられ、この固定片２４にレール１８の全長に亘って支持台部２６が水平且つ前方に突出して形成され、この支持台部２６の上面にレール１８全長に亘って嵌合せ突片２８が一体形成される。
【０００４】
一方、タイル１６の下端部には凹溝３０が長手方向に形成され、この凹溝３０と嵌合せ突片２８が嵌合するので、タイル１６は下端部が室内外方向に実質上拘束されてレール１８の支持台部２６からの脱落が防止できる。
【０００５】
拘束部３４は化粧キャップを兼ねた押えであって、裏面側に差込片３６が一体に形成されており、この差込片３６が支持台部２６に形成された差込溝３８内に開口４０を通じて差し込まれる。差込片３６は、差込溝３８内において室内外方向に相対移動可能であるが、その先端部に備える開口４０よりも大径の抜止め部４２によって拘束部３４の支持台部２６からの脱落が防止できる。拘束部３４の裏面側には、支持台部２６の上側においてＬ字状に立ち上がる立上り片４４が一体に形成されており、タイル１６の凹溝３０と嵌合せ突片２８の嵌合せ時に、凹溝３０の傾斜面３２の作用が立上り片４４に係ることで押え３４が躯体壁２２側に押し込まれる。
【０００６】
この拘束部３４の押込みによって、上段側のタイル１６の下端部と下段側のタイル１６の上端部とが、固定片２４を介して躯体壁２２側に押さえ付けられ、上段側のタイル１６の下端部と下段側のタイル１６の上端部とが内外両側から同時に保持される。
【０００７】
最下段のタイル１６を支持するレール２０は、基端に板状の固定片４６を有し、更にその上端から全長に亘って前方に突出する支持台部４８を有している。支持台部４８の前端には、レール２０の全長に亘って立上げ部５０が形成され、その立上げ部５０の内側に嵌合せ部としての嵌合せ溝５２が形成されてタイル１６の下端部が嵌合される。
【０００８】
このように、レール１８に対してタイル１６を載せるようにセットするだけで、タイル１６の凹溝３０とレール１８の嵌合せ突片２８とを嵌め合わせて拘束部３４を凹溝３０の傾斜面３２の作用で躯体壁２２側に押し込む。さらに、上段側のタイル１６の下端部と、下段側のタイル１６の上端部とを拘束部３４によって押さえ付けることができる。
【特許文献１】特開平１０−８２１５７号公報
【発明の開示】
【発明が解決しようとする課題】
【０００９】
ところが、この構成によれば、レール１８と拘束部３４の組合せ構造が複雑なので製作コストが高くなるという問題があった。
【００１０】
本発明はかかる従来技術の問題に鑑みなされたものであって、簡単な構造で取付・取外しが容易なキッチンのパネル壁構造を提供することを目的とする。
【課題を解決するための手段】
【００１１】
請求項１記載の発明は、建物壁に複数の矩形状のパネルを上下に配置して形成されるキッチンのパネル壁構造であって、前記パネルは、パネル本体の上端部に上係止部と下端部に下係止部を備え、前記上係止部は前記パネル本体の上端部から延設する第一水平部と下垂する第一垂直部で断面Ｌ字状に形成し、さらに、この第一垂直部に沿って前記パネル本体側に折曲げて成る第二垂直部まで連続的に形成される。さらに、前記下係止部は前記パネル本体の下端部から延設する第二水平部と、この第二水平部から下垂する第三垂直部と、この第三垂直部から前記パネル本体と離れる側に折返す斜め部とが連続して形成される。そして、前記上係止部と下係止部を係止する断面凹形状のフック部が建物壁に配置されることを特徴としている。このため、一対の前記パネルの隣接する前記上係止部と下係止部は前記フック部に同時に挿入するだけで簡単に壁に係止することができる。
【００１２】
請求項２記載の発明は、請求項１に記載のキッチンのパネル壁構造であって、前記下係止部の第三垂直部と斜め部の挟角が弾性的に拡縮自在であることを特徴としている。このため、挟角が弾性的に拡がろうとする反発力で前記上係止部と下係止部を前記フック部内で確実にガタなく係止することができる。
【００１３】
請求項３記載の発明は、請求項１又は請求項２に記載のキッチンのパネル壁構造であって、前記パネル本体に断熱材を備えることを特徴としている。このため、キッチンの使用熱の建物壁への影響が防止できる。
【発明の効果】
【００１４】
請求項１記載の発明によれば、前記上係止部と下係止部を係止する断面凹形状のフック部が建物壁に配置され、一対の前記パネルの隣接する前記上係止部と下係止部が前記フック部に同時に簡単に係止することができるので、取付・取外しが容易で操作性や掃除等のメンテナンス性に優れる。また、前記下係止部は、第二水平部から下垂する第三垂直部と、この第三垂直部から前記パネル本体と離れる側に折返す斜め部とによって先細りの形状なので、前記下係止部を前記フック部に容易且つ確実に挿入することができる。簡単な構造なのでコストが安価である。
【００１５】
請求項２記載の発明によれば、挟角が縮まって挿入した後に挟角が弾性的に拡がろうとする反発力で前記上係止部と下係止部を前記フック部内で確実にガタなく係止することができるので、請求項１の効果と同様の効果がさらに確実に得られる。
【００１６】
請求項３記載の発明によれば、前記パネル本体に断熱材を備えるので、キッチンの使用熱の建物壁への影響が防止できるとともに、請求項１又は請求項２の効果と同様の効果が得られる。
【発明を実施するための最良の形態】
【００１７】
以下に、本発明の実施形態を図１〜図４に基づいて説明する。
【００１８】
＜キッチンのパネル壁構造の構成＞
図１、図２、図３に示すように、建物の壁１を背後にしてキッチン台２が床３に配置され、キッチン台２より上部の壁１に沿って複数の矩形状のパネル４が上下に配置される。
【００１９】
パネル４はパネル本体６と上係止部７と下係止部８とで形成され、パネル本体６の裏面に断熱材５を備え、上係止部７と下係止部８がパネル本体６の上下端部６ａ、６ｂにそれぞれ形成される。そして、この上係止部７と下係止部８を係止するための断面凹形状のフック部９が壁１に複数組配置される。パネル４とフック部９はそれぞれ長さＬで水平方向に長く、パネル本体と上係止部７と下係止部８は板厚Ｓの薄肉鋼板で一体的に連続して形成される。
【００２０】
フック部９は高さＴ１の前板９ａと高さＴ２の後板９ｂが垂直で、前板９ａと後板９ｂの内幅Ｔ３の間を底板９ｃで水平に連結して断面凹形状に形成されＴ１＜Ｔ２である。そして、最上段のパネル４の上係止部７と最下段のパネル４の下係止部８を除いて、一対のパネル４の隣接する上係止部７と下係止部８が一組のフック部９内で同時に係止される。最上段のパネル４の上係止部７と最下段のパネル４の下係止部８はフック部９内に単独で係止される。
【００２１】
上係止部７はパネル本体６の上端部６ａから壁１に向かって延設する第一水平部７ａと下垂する第一垂直部７ｂで断面Ｌ字状に形成し、さらに、この第一垂直部７ｂに沿ってパネル本体６側に折曲げて成る第二垂直部７ｃまで連続的に形成される。ここで、第一垂直部７ｂと第二垂直部７ｃの外側幅Ｓ１で、Ｓ１＞Ｓｘ２である。
【００２２】
下係止部８はパネル本体６の下端部６ｂから壁１に向かって延設する第二水平部８ａと、パネル本体６より下方に延びる第三垂直部８ｂと、この第三垂直部８ｂからパネル本体６と離れる側に折返す斜め部８ｃとが連続して形成される。より詳しくは、第二水平部８ａと第三垂直部８ｂとの間に垂直材８ｄと水平材８ｅを備え、斜め部８ｃの先端に第三垂直部８ｂに平行な垂直材８ｆを備える。
【００２３】
上記、パネル本体と上係止部７と下係止部８は板厚Ｓの薄肉鋼板で連続して一体的に形成され、下係止部８の第三垂直部８ｂと斜め部８ｃの挟角αが弾性的に拡縮自在である。より詳しくは、フック部９の内部において、下係止部８と上係止部７を弾力的に係止するため、下係止部８の第三垂直部８ｂと斜め部８ｃの間に隙間部８ｇが形成され、下係止部８をフック部９に挿入する際に、第三垂直部８ｂと斜め部８ｃの間の隙間部８ｇが狭く成る（挟角αが小さくなる）様な寸法にしておくことによって、斜め部８ｃに弾性力が蓄えられて上係止部７の第一垂直部７ｂを押付けるため、フック部９の内部における上係止部７と下係止部８がガタなく係止できる。
【００２４】
パネル本体６の上係止部７と下係止部８の近傍に凹部Ｐ１、Ｐ２が設けられ、この凹部Ｐ１と凹部Ｐ２に挟まれた領域に断熱材５が表面をアルミ箔やスチール箔等で覆って設けられる。また、第一垂直部７ｂと第二垂直部７ｃで挟まれる折曲部７ｄと、凹部Ｐ１を形成する凸部６ｃとの隙間Ｑとすると、隙間Ｑ＞高さＴ１である。
【００２５】
複数のパネル４の側面は図示しない化粧板で取外し自在に覆われる。最下段のパネル４の下係止部８には隣接するパネル４がないので、フック部９に図示しない隙間材を挿入して隙間を埋めることで、フック部９の内部における下係止部８のガタツキが防止できる。また、最下段のパネル４の下方の凹部Ｐ２の前面には化粧カバーが設けられる。図示しない最上段のパネルの上係止部に関しても同様である。
【００２６】
パネル本体６と上係止部７と下係止部８は板厚Ｓ＝０．３５ｍｍの薄厚鋼板を板金によって形成され、表面側にはアルミ・亜鉛合金メッキ、フッ素樹脂塗装、ポリエステル樹脂塗装等が施工される。断熱材５は発泡樹脂が用いられる。
【００２７】
＜キッチンのパネル壁構造の作用＞
パネル４の組付け手順は、まず、図４（ａ）に示すように、既に一組のパネル４が上係止部７によってフック部９に係止されている状態で、矢印Ｎ１に示すように上方のパネル４の下係止部８をフック部９に挿入するように下降する。この下降を続けながら、矢印Ｎ２に示すように、上記上係止部７の折曲部７ｄと凸部６ｃで形成される隙間Ｑをフック部９の高さＴ１の前板９ａに被せていく。ここで、隙間Ｑ＞高さＴ１なので、前板９ａが隙間Ｑに無理なく挿入し、図４（ｂ）に示すように、パネル４を矢印Ｎ３のように下降して、上係止部７と下係止部８をフック部９に挿入することができる。
【００２８】
上記、第三垂直部８ｂと斜め部８ｃの間の挟角αが弾性的に拡縮自在であるので、下係止部８の挿入時に挟角αが狭くなって挿入後は斜め部８ｃに蓄えられる弾性力によって上係止部７の第一垂直部７ｂを押付けることにより、フック部９の内部における上係止部７と下係止部８のガタツキが防止できる。なお、上係止部７の第一垂直部７ｂと第二垂直部７ｃとの間にも隙間があるので若干の弾性力付加効果が得られる。
【００２９】
このように、パネル本体６を板金加工で一体成形する簡単な構造なので製作コストを下げることができて、軽量化により取付・取外しが容易なので汚れても掃除し易い。パネル本体６の上係止部７と下係止部８の近傍に凹部Ｐ１、Ｐ２を設けて凹部Ｐ１と凹部Ｐ２に挟まれる領域に断熱材５が設けられるので、断熱材５の取付が簡単で型崩れしないので長期の使用に耐えることができる。断熱材５によって断熱性に優れるのでキッチンの熱使用時に壁１への熱影響を防止できる。キッチン作業の防音効果も得られる。断熱材５によってパネル本体６の形状保持効果が得られるのでパネル本体６の肉厚を若干薄くできるので軽量化により洗浄時の取外し作業が軽減される。
【００３０】
以上、本発明の実施例を図面に基づいて説明したが、具体的な構成はこの実施例に限られるものではなく本発明の要旨を逸脱しない範囲の設計変更等があっても本発明に含まれる。
【００３１】
たとえば、建物壁に沿って複数の矩形状のパネルを左右方向に配置することもできる。最下段のフック部９に図示しない隙間材を挿入して隙間を埋める代わりに、フック部９の内幅Ｔ３を狭くすると下係止部８だけでガタツキ防止することもできる。図示しない最上段のパネルの上係止部に関しても同様である。
【図面の簡単な説明】
【００３２】
【図１】本発明の実施形態における、壁１に沿ってキッチン台２が床３に配置され、複数の矩形状のパネル４が壁１の上下に配置された状態を示す一部透視斜視図である。
【図２】本発明の実施形態における、図１のＡ−Ａ断面図である。
【図３】本発明の実施形態における、図２のＢ―詳細図である。
【図４】本発明の実施形態における、（ａ）は一組のパネル４がフック部９に係止した状態でその上方から次のパネル４の下係止部８をフック部９に挿入する状態、（ｂ）は、次のパネル４の下係止部８を下方のフック部９に挿入すると同時に上係止部７を上方のフック部９に挿入して係止した状態を示す断面図である。
【図５】従来の、キッチン１５ａのガスコンロ１５ｂの周辺にＬ字形の金属板１５ｃが設置された状態を示す斜視図である。
【図６】従来のキッチンのパネル壁構造で、レール１８、２０を用いてタイル１６を上下に配置した状態を示す側面断面図である。
【符号の説明】
【００３３】
６  パネル本体
６ａ  上端部
６ｂ  下端部
７  上係止部
７ａ  第一水平部
７ｂ  第一垂直部
７ｃ  第二垂直部
８  下係止部
８ａ  第二水平部
８ｂ  第三垂直部
８ｃ  斜め部
９  フック部
９ａ  前板
９ｂ  後板
９ｃ  底板
α  挟角
【図１】
2010106452.tif 000003
【図２】
2010106452.tif 000004
【図３】
2010106452.tif 000005
【図４】
2010106452.tif 000006
【図５】
2010106452.tif 000007
【図６】
2010106452.tif 000008